(57)【要約】【課題】洗剤投入構造からの水漏れを無くし、防水シール剤等の貼り付けの無駄を省く。【解決手段】洗剤収容容器２１に注水を行う注水蓋体３０と、前記注水蓋体３０と組み合わせて、前記洗剤収容容器２１を引き出し自在に収容する空間部４０ｄを構成する洗剤投入部枠体４０と、前記注水蓋体３０への給水を行う給水弁７とを備え、前記洗剤投入部枠体４０の外周壁には高いラビリンスリブ４０ａを、前記注水蓋体３０の下面に接触するように形成し、かつそのラビリンスリブ４０ａ外周には、前記洗剤投入部枠体４０内部連通する溝４０ｂおよび切欠き４０ｃを形成したことにより、注水蓋体３０から洗剤収容容器２１への給水時の水はねなどにより水が飛沫しても、洗剤投入部枠体４０の高いラビリンスリブ４０ａ、および、外周に設けられた溝４０ｂが外部への水漏れを防止するので、シール部材追加等によるコストアップの回避が可能となる。【選択図】図３
2009095586.tif 000002
【特許請求の範囲】
【請求項１】
略水平方向または傾斜方向に回転中心軸を有する回転ドラムと、前記回転ドラムを内包する水槽と、洗剤を収納する洗剤収容容器と、前記洗剤収容容器に注水を行う注水蓋体と、前記注水蓋体と組み合わせて、前記洗剤収容容器を引き出し自在に収容する空間部を構成する有底の平面コの字状箱体の洗剤投入部枠体と、水道蛇口と連通し開閉することで前記注水蓋体への給水の制御を行う給水弁と、一端が前記給水弁と連通し、途中前記洗剤投入部枠体を介して他端が前記水受け槽に連通する給水経路とを備え、前記洗剤投入部枠体の３辺の外周壁には高いラビリンスリブを形成し、前記ラビリンスリブを前記注水蓋体の下面に接触させ、かつ前記ラビリンスリブ外周には、前記洗剤投入部枠体内部に連通する溝および切欠きを形成したドラム式洗濯機。
【発明の詳細な説明】
【技術分野】
【０００１】
本発明は、洗剤収容容器とこの洗剤収容容器に給水する注水蓋体とを備えるドラム式洗濯機に関するものである。
【背景技術】
【０００２】
従来の、この種のドラム式洗濯機は、洗濯機本体上部に水道からの給水を供給する給水弁から、洗剤を収納した洗剤収容容器を経由して水槽内に給水する構成が一般的である（例えば、特許文献１参照）。
【０００３】
図４は、特許文献１に記載された従来のドラム式洗濯機の縦断面図で、図５は、同従来ドラム式洗濯機の洗剤収納部の構成を示す側面図である。
【０００４】
図４において、ドラム式洗濯機では、駆動モータ６１で回転され略水平方向または傾斜方向に回転軸を有する回転ドラム（洗濯兼脱水槽）６２と、前記回転ドラム６２を内包した水槽（外槽）６３を構成し、上方に洗剤投入構造を配置する。
【０００５】
洗剤投入構造は、洗剤投入部枠体６５と、洗剤収納容器６８とその上部を閉じる注水蓋体６６とを備え、洗剤投入部枠体６５の下部には水槽６３に接続する給水ホース７０が連結され、前記洗剤投入部枠体６５には洗剤収容容器６８が引き出し可能に収容され、かつ側面には給水受口６７からの水を止水または給水する給水弁６９等で構成される。
【０００６】
図５の側面図において、前記洗剤収容容器６８に洗剤や仕上剤をセットし、給水弁６９を開くことで、水が給水弁６９から洗剤投入部枠体６５を経由し、上部の注水蓋体６６内に供給される。給水された水は注水蓋体６６に設けられた複数の注水穴（図示せず）から洗剤収容容器６８に注水され、洗剤収容容器６８に投入されている洗剤と混合して洗剤混合水となり、溢水部７１等から底部に接続された給水ホース７０内を通り、水槽６３内に給水される。上記のような構成で、洗剤の投入、および給水を行うものであるが、上記構成では高い水圧力にて給水を行うと、洗剤投入部枠体６５と注水蓋体６６との間で水漏れを起こす危険性があり、それを防止するため、洗剤投入部枠体６５と注水蓋体６６との間にシール部材を設ける構成を採用するなどの対応をしてきた。
【特許文献１】特開２００７−６８８０１号公報
【発明の開示】
【発明が解決しようとする課題】
【０００７】
しかしながら、洗剤投入部枠体と注水蓋体との間にシール部材を設ける構成にあっては、シール部材の経年変化や不良によっては最悪の場合、水漏れを起こすおそれがあり、水漏れに対して完全な対策案とはならないという課題や、さらには部品点数や作業工程の増加に伴うコスト的な課題があった。
【０００８】
本発明は、上記従来の課題を解決するもので、部品の追加なしに水漏れの恐れのない安全性に優れた洗剤収納構成のドラム式洗濯機を提供することを目的とする。
【課題を解決するための手段】
【０００９】
上記従来の課題を解決するために、本発明のドラム式洗濯機は、洗剤を収納する洗剤収容容器と、前記洗剤収容容器に注水を行う注水蓋体と、前記注水蓋体と組み合わせて、前記洗剤収容容器を引き出し自在に収容する空間部を構成する有底の平面コの字状箱体の洗剤投入部枠体と、水道蛇口と連通し開閉することで前記注水蓋体への給水の制御を行う給水弁と、一端が前記給水弁と連通し、途中前記洗剤投入部枠体を介して他端が前記水受け槽に連通する給水経路とを備え、前記洗剤投入部枠体の３辺の外周壁には高いラビリンスリブを形成し、前記ラビリンスリブを前記注水蓋体の下面に接触させ、かつ前記ラビリンスリブ外周には、前記洗剤投入部枠体内部に連通する溝および切欠きを形成したものである。
【００１０】
これによって、注水蓋体から洗剤収容容器への給水時の水はねなどによって水が飛沫しても、洗剤投入部枠体に設けられた高いラビリンスリブ、および、洗剤投入部枠体外周に設けられた溝により外部への水漏れを生じる恐れが無くなり、シール部材追加によるコストアップの回避が可能となる。
【発明の効果】
【００１１】
本発明の洗濯機は、洗剤投入構造の水漏れの恐れをなくすことができ、さらにはシール部材追加によるコストアップを回避できる。
【発明を実施するための最良の形態】
【００１２】
第１の発明は、略水平方向または傾斜方向に回転中心軸を有する回転ドラムと、前記回転ドラムを内包する水槽と、洗剤を収納する洗剤収容容器と、前記洗剤収容容器に注水を行う注水蓋体と、前記注水蓋体と組み合わせて、前記洗剤収容容器を引き出し自在に収容する空間部を構成する有底の平面コの字状箱体の洗剤投入部枠体と、水道蛇口と連通し開閉することで前記注水蓋体への給水の制御を行う給水弁と、一端が前記給水弁と連通し、途中前記洗剤投入部枠体を介して他端が前記水受け槽に連通する給水経路とを備え、前記洗剤投入部枠体の３辺の外周壁には高いラビリンスリブを形成し、前記ラビリンスリブを前記注水蓋体の下面に接触させ、かつ前記ラビリンスリブ外周には、前記洗剤投入部枠体内部に連通する溝および切欠きを形成したことで水漏れ危険性を解消でき、さらには、給水弁から注水蓋体への給水を、洗剤投入部枠体を介すことなく直接行い水漏れを生じる恐れのある箇所を減らすことにより、シール部材追加によるコストアップの回避も可能となる。また、万が一、注水蓋体から洗剤収容容器へ高水圧の給水がなされた場合に、水はねなどによって注水蓋体と洗剤投入部枠体との間へ水が飛沫しても、水を内部に回収するために洗剤投入部枠体外周に設けられた溝および切欠きが外部への水漏れを防ぐ構成になっている。このような２重の水漏れ防止構成により、水漏れの恐れをなくすことができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態に係るドラム式洗濯機の縦断面図であり、図２は同ドラム式洗濯機の洗剤投入部枠体部分の側面断面図、図３は同ドラム式洗濯機の洗剤投入部枠体部分の構造の分解斜視図である。
【００１５】
図１において、回転ドラム４および水槽３を内設した洗濯機筐体２の上部に、洗剤を収容する洗剤収容容器２１と、給水弁７に接続されて、洗剤収容容器２１と回転ドラム４に給水する第１の給水路３１と、洗剤収容容器２１に給水する第２の給水路３２とが一体に設けられた注水蓋体３０とを構成する。
【００１６】
前記注水蓋体３０の下方に、上方に開口を有する有底の断面略コの字状箱体の洗剤投入部枠体４０を配設して、この注水蓋体３０との間に形成された空間４０ｄに前記洗剤収容容器２１を引き出し自在に収納している。また、洗剤投入部枠体４０の底部には、給水経路（第１の給水ホース）２６を前記水槽３に接続配管する。
【００１７】
第１に給水路３１からの水は、前記注水蓋体３０に給水されると共に、注水蓋体３０から水槽４の開口部周辺に設けられたシャワー口金３６に配管したシャワー用ホース４３にも流れる。洗濯工程やすすぎ工程で、シャワー口金３６から回転ドラム４内に衣類に向けて給水を噴射することにより、衣類の濡れ性や、すすぎ効果を高める。
【００１８】
図２の側面断面図において、洗剤投入部枠体４０には、後方に高いラビリンスリブ４０ａを形成し、その先端が注水蓋体３０の下面３０ａと接触するように、注水蓋体３０が洗剤投入部枠体４０の上面に固定されている。また、この洗剤投入部枠体４０と注水蓋体３０とで囲まれた空間部４０ｄには引き出し自在に洗剤収容容器２１が収納され、注水蓋体３０には、洗剤収容容器２１に供給する水の通水路となる通水空間部３７と、その底面に多数の小孔を形成した注水口３３とを構成する。
【００１９】
また、洗剤投入部枠体４０は、その底部に洗剤液供給路４１を一体形成し、洗剤収容容器２１に収容された洗剤（粉末合成洗剤、液体洗剤、液体仕上剤など）に注水蓋体３０からの注水口３３を介して供給された水が滴下して、混合された各種の洗剤混合液は、この洗剤液供給路４１およびこの洗剤液供給路４１に接続された給水経路（第１の給水ホース）２６を経由して、水槽３内に供給される。
【００２０】
また、洗剤収容容器２１は、洗剤投入部枠体４０に引き出し自在に収納され、粉末合成洗剤を収容する粉末洗剤収容部２２と、液体洗剤や液体漂白剤を収容する液体洗剤収容部２３と、液体仕上剤を収容する液体仕上剤収容部２４とを備えている。
【００２１】
粉末洗剤収容部２２と液体洗剤収容部２３の下流側には粉末・液体洗剤投入路２２ａが形成されており、また、液体仕上剤収容部２４の下流側には液体仕上剤投入路２４ａが形成され、いずれも洗剤液が前記洗剤液供給路４１に流れる様に構成している。
【００２２】
また、注水蓋体３０は、ポリプロピレン樹脂等で構成した２枚の樹脂成形板が熱溶着されることにより通水空間部３７を構成し、この通水空間部３７に洗剤収容容器２１と回転ドラム４に水を供給する第１の給水路３１と、洗剤収容容器２１に水を供給する第２の給水路３２とが一体に形成される。注水蓋体３０の後部に接続した給水弁７からの給水は、第１の給水路３１から、洗濯工程初期において、粉末洗剤収容部２２および液体洗剤収容部２３に給水して洗剤を溶解しながら回転ドラム４に供給され、第２の給水路３２からは、すすぎ工程において、液体仕上剤収容部２４に給水して、柔軟仕上げ剤などを溶解して回転ドラム４に供給される。
【００２３】
図３の分解矢視図は、洗剤投入部枠体４０から、洗剤収容容器２１を引き出し、かつ、注水蓋体３０を上方に取外した状態を示している。
【００２４】
図３において、注水蓋体３０の後方（図で左方）には、第１の給水路３１および第２の給水路３２が形成されている。また、洗剤投入部枠体４０は、一方が開放して洗剤収容容器２１の引き出し用開放部となる有底の平面コの字状箱体に形成している。
【００２５】
洗剤収容容器２１は、図で左側から液体洗剤収容部２３、粉末洗剤収容部２２、液体仕上剤収容部２４に順に併設され、洗濯時には、前記注水蓋体３０の第１の給水路３１から液体洗剤収容部２３、粉末洗剤収容部２２に給水され、すすぎ時には、第２の給水路３２から液体仕上剤収容部２４に給水される。
【００２６】
さらに、洗剤投入部枠体４０の上縁部にはラビリンスリブ４０ａを上方から見てコの字の３辺に形成し、その外周には溝４０ｂを巻きまわすように構成し、前記溝４０ｂの枠体内側に通じるように各辺にそれぞれ１箇所、合計３箇所の切欠き４０ｃを形成する。
【００２７】
以上のように構成された洗濯機について以下その動作、作用を説明する。
【００２８】
洗剤投入部枠体の３辺の外周壁には高いラビリンスリブ４０ａを形成し、そのラビリンスリブ４０ａを前記注水蓋体３０の下面に接触させているので、注水蓋体から洗剤収容容器２１に高水圧の場合注水がなされ水が飛び跳ねるような状態でも、ラビリンスリブ４０ａにより、洗剤投入部枠体４０外方に飛散する事は無い。
【００２９】
また、ラビリンスリブ４０ａ先端と、注水蓋体３０の下面３０ａとの微小な隙間から滲み出した微少量の水分も、洗剤投入部枠体４０外方に滴下することなく外周部に形成した溝４０ｂで回収し、切欠き部４０ｃから洗剤投入部枠体４０の内方に戻して外方に洩れる事は無くなる。
【００３０】
以上のように、本実施の形態では、洗剤投入部枠体の外周部にラビリンスリブを上部の注水蓋体に密着させているので、洗剤投入部枠体外方に水漏れの危険性が解消され、シール部材追加によるコストアップ等の回避が可能となる。
【産業上の利用可能性】
【００３１】
以上説明した実施の形態の構成は、回転ドラムを傾斜配置したドラム式洗濯乾燥機に適用した例を示したが、回転ドラムを水平方向に配した（回転ドラムの軸心を鉛直方向に配した）洗濯機にも本発明の技術的内容を適用することができ、また、乾燥機を伴わない洗濯機にも適用することができる。
【図面の簡単な説明】
【００３２】
【図１】本発明の実施の形態１に係る洗濯機の縦断面図
【図２】同洗濯機の洗剤投入部枠体部分の側面断面図
【図３】同洗濯機の洗剤投入部枠体部分の構造の分解斜視図
【図４】従来の洗濯機の縦断面図
【図５】従来の洗濯機の洗剤収納部の構成を示す側面図
【符号の説明】
【００３３】
２  洗濯機筐体
３  水槽
４  回転ドラム
７  給水弁
２１  洗剤収容容器
２６  給水経路（第１の給水ホース）
３０  注水蓋体
４０  洗剤投入部枠体
４０ａ  ラビリンスリブ
４０ｂ  溝
４０ｃ  切欠き
４０ｄ  空間部
【図１】
2009095586.tif 000003
【図２】
2009095586.tif 000004
【図３】
2009095586.tif 000005
【図４】
2009095586.tif 000006
【図５】
2009095586.tif 000007